(57)【要約】  制御情報を獲得するように構成されるユーザ機器（ＵＥ）であって、制御形式インジケータ（ＣＦＩ）パターンを獲得するように構成される処理ユニットであって、ＣＦＩパターンが、ＣＦＩ値のセットを含み、少なくとも１つのＣＦＩ値が、少なくとも１つのダウンリンク制御チャネルの持続時間を示す、処理ユニットと、ＣＦＩパターンに基づいて少なくとも１つのダウンリンク制御チャネル上で搬送されるダウンリンク制御情報を復号するように構成される復号ユニットと、を備えるＵＥ。
2021513784.tif 000002
【特許請求の範囲】
【請求項１】
制御情報を獲得するように構成されるユーザ機器（ＵＥ）であって、
制御形式インジケータ（ＣＦＩ）パターンを獲得するように構成される処理ユニットであって、前記ＣＦＩパターンが、ＣＦＩ値のセットを含み、少なくとも１つのＣＦＩが、少なくとも１つのダウンリンク制御チャネルの持続時間を示す、処理ユニットと、
前記ＣＦＩパターンに基づいて前記少なくとも１つのダウンリンク制御チャネル上で搬送されるダウンリンク制御情報を復号するように構成される復号ユニットと
を備える、ＵＥ。
【請求項２】
前記ＣＦＩ値のセットが、フレーム内の、伝送時間間隔（ＴＴＩ）のセット、または短い伝送時間間隔（ｓＴＴＩ）のセットに対応する、請求項１に記載のＵＥ。
【請求項３】
前記ＴＴＩのセットが、ダウンリンクＴＴＩおよび特別なＴＴＩを含むか、または
前記ｓＴＴＩのセットが、ダウンリンクｓＴＴＩおよび特別なｓＴＴＩを含む、請求項２に記載のＵＥ。
【請求項４】
前記ＴＴＩのセットが、アップリンクＴＴＩをさらに含むか、または
前記ｓＴＴＩのセットが、アップリンクｓＴＴＩをさらに含む、請求項２に記載のＵＥ。
【請求項５】
各ＣＦＩ値が、ＴＴＩまたはｓＴＴＩに対応する、請求項２に記載のＵＥ。
【請求項６】
前記少なくとも１つのＣＦＩ値に対応する１つまたは複数のＴＴＩまたはｓＴＴＩが、前記少なくとも１つのダウンリンク制御チャネルのために構成される、請求項５に記載のＵＥ。
【請求項７】
前記処理ユニットが、前記ＣＦＩパターンから前記ＣＦＩ値を獲得するように構成され、前記ＣＦＩ値が、ＴＴＩ／ｓＴＴＩの第１のセットに対応し、
前記処理ユニットが、前記ＣＦＩパターンからの前記ＣＦＩ値をデクリメントまたはインクリメントすることによって第２のＣＦＩ値を獲得するように構成され、前記第２のＣＦＩ値が、ＴＴＩ／ｓＴＴＩの第２のセットに対応する、請求項５に記載のＵＥ。
【請求項８】
前記ダウンリンク制御チャネルが、物理ダウンリンク制御チャネル（ＰＤＣＣＨ）、または短い物理ダウンリンク制御チャネル（ｓＰＤＣＣＨ）である、請求項１〜７のいずれか一項に記載のＵＥ。
【請求項９】
前記ＣＦＩパターンが、準静的に構成される、請求項１〜８のいずれか一項に記載のＵＥ。
【請求項１０】
前記ＣＦＩパターンが、準静的に構成され、
前記ＵＥが、ネットワークノードから無線リソース制御（ＲＲＣ）信号を受信するように構成される受信ユニットであって、前記ＣＦＩパターンを示す情報が前記ＲＲＣ信号内で搬送される、受信ユニットを備え、
前記処理ユニットが、前記ＲＲＣ信号から前記ＣＦＩパターンを獲得するように構成される、請求項１〜９のいずれか一項に記載のＵＥ。
【請求項１１】
前記ＵＥが、ロングタームエボリューション（ＬＴＥ）で制御情報を伝送するように構成される、請求項１〜１０のいずれか一項に記載のＵＥ。
【請求項１２】
制御情報を伝送するように構成されるネットワークノードであって、
制御形式インジケータ（ＣＦＩ）パターンを選択するように構成される処理ユニットであって、前記ＣＦＩパターンが、ＣＦＩ値のセットを含み、少なくとも１つのＣＦＩ値が、少なくとも１つのダウンリンク制御チャネルの持続時間を示す、処理ユニットと、
前記ＣＦＩパターンに基づいて前記ダウンリンク制御チャネルの各々において搬送されるダウンリンク制御情報を符号化するように構成される符号化ユニットと
を備える、ネットワークノード。
【請求項１３】
前記ＣＦＩ値のセットが、フレーム内の、伝送時間間隔（ＴＴＩ）のセット、または短い伝送時間間隔（ｓＴＴＩ）のセットに対応する、請求項１２に記載のネットワークノード。
【請求項１４】
前記ＴＴＩのセットが、ダウンリンクＴＴＩおよび特別なＴＴＩを含むか、または
前記ｓＴＴＩのセットが、ダウンリンクｓＴＴＩおよび特別なｓＴＴＩを含む、請求項１３に記載のネットワークノード。
【請求項１５】
前記ＴＴＩのセットが、アップリンクＴＴＩをさらに含むか、または
前記ｓＴＴＩのセットが、アップリンクｓＴＴＩをさらに含む、請求項１３に記載のネットワークノード。
【請求項１６】
各ＣＦＩ値が、ＴＴＩまたはｓＴＴＩに対応する、請求項１３に記載のネットワークノード。
【請求項１７】
前記少なくとも１つのＣＦＩ値に対応する１つまたは複数のＴＴＩまたはｓＴＴＩが、前記少なくとも１つのダウンリンク制御チャネルのために構成される、請求項１６に記載のネットワークノード。
【請求項１８】
前記ダウンリンク制御チャネルが、物理ダウンリンク制御チャネル（ＰＤＣＣＨ）、または短い物理ダウンリンク制御チャネル（ｓＰＤＣＣＨ）である、請求項１２〜１７のいずれか一項に記載のネットワークノード。
【請求項１９】
前記ＣＦＩパターンが、準静的に構成される、請求項１２〜１８のいずれか一項に記載のネットワークノード。
【請求項２０】
前記ＣＦＩパターンが、準静的に構成され、
ユーザ機器に無線リソース制御（ＲＲＣ）信号を伝送するように構成される伝送ユニットであって、前記ＣＦＩパターンを示す情報が前記ＲＲＣ信号内で搬送される、伝送ユニットを備える、請求項１２〜１９のいずれか一項に記載のネットワークノード。
【請求項２１】
前記ネットワークノードが、ロングタームエボリューション（ＬＴＥ）で制御情報を伝送するように構成される、請求項１２〜２０のいずれか一項に記載のネットワークノード。
【請求項２２】
ユーザ機器（ＵＥ）による制御情報獲得方法であって、
制御形式インジケータ（ＣＦＩ）パターンを獲得するステップであって、前記ＣＦＩパターンが、ＣＦＩ値のセットを含み、少なくとも１つのＣＦＩ値が、少なくとも１つのダウンリンク制御チャネルの持続時間を示す、ステップと、
前記ＣＦＩパターンに基づいて前記ダウンリンク制御チャネルの各々において搬送されるダウンリンク制御情報を復号するステップと
を含む、制御情報獲得方法。
【請求項２３】
前記ＣＦＩ値のセットが、フレーム内の、伝送時間間隔（ＴＴＩ）のセット、または短い伝送時間間隔（ｓＴＴＩ）のセットに対応する、請求項２２に記載の制御情報獲得方法。
【請求項２４】
前記ＴＴＩのセットが、ダウンリンクＴＴＩおよび特別なＴＴＩを含むか、または
前記ｓＴＴＩのセットが、ダウンリンクｓＴＴＩおよび特別なｓＴＴＩを含む、請求項２３に記載の制御情報獲得方法。
【請求項２５】
前記ＴＴＩのセットが、アップリンクＴＴＩさらに含むか、または
前記ｓＴＴＩのセットが、アップリンクｓＴＴＩをさらに含む、請求項２３に記載の制御情報獲得方法。
【請求項２６】
各ＣＦＩ値が、ＴＴＩまたはｓＴＴＩに対応する、請求項２３に記載の制御情報獲得方法。
【請求項２７】
前記少なくとも１つのＣＦＩ値に対応する１つまたは複数のＴＴＩまたはｓＴＴＩが、前記少なくとも１つのダウンリンク制御チャネルのために構成される、請求項２６に記載の制御情報獲得方法。
【請求項２８】
前記ＣＦＩ値が前記ＣＦＩパターンから獲得され、前記ＣＦＩ値が、ＴＴＩ／ｓＴＴＩの第１のセットに対応し、
第２のＣＦＩ値が、前記ＣＦＩパターンからの前記ＣＦＩ値をデクリメントまたはインクリメントすることによって獲得され、前記第２のＣＦＩ値が、ＴＴＩ／ｓＴＴＩの第２のセットに対応する、請求項２６に記載の制御情報獲得方法。
【請求項２９】
前記ダウンリンク制御チャネルが、物理ダウンリンク制御チャネル（ＰＤＣＣＨ）、または短い物理ダウンリンク制御チャネル（ｓＰＤＣＣＨ）である、請求項２２〜２８のいずれか一項に記載の制御情報獲得方法。
【請求項３０】
前記ＣＦＩパターンが、準静的に構成される、請求項２２〜２９のいずれか一項に記載の制御情報獲得方法。
【請求項３１】
前記ＣＦＩパターンが、準静的に構成され、
ネットワークノードから無線リソース制御（ＲＲＣ）信号を受信するステップであって、前記ＣＦＩパターンを示す情報が前記ＲＲＣ信号内で搬送される、ステップを含み、
前記ＣＦＩパターンが、前記ＲＲＣ信号から獲得される、請求項２２〜３０のいずれか一項に記載の制御情報獲得方法。
【請求項３２】
制御情報が、ロングタームエボリューション（ＬＴＥ）で伝送される、請求項２２〜３１のいずれか一項に記載の制御情報獲得方法。
【請求項３３】
ネットワークノードによる制御情報伝送方法であって、
制御形式インジケータ（ＣＦＩ）パターンを選択するステップであって、前記ＣＦＩパターンが、ＣＦＩ値のセットを含み、少なくとも１つのＣＦＩ値が、少なくとも１つのダウンリンク制御チャネルの持続時間を示す、ステップと、
前記ＣＦＩパターンに基づいて前記ダウンリンク制御チャネルの各々において搬送されるダウンリンク制御情報を符号化するステップと
を含む、制御情報伝送方法。
【請求項３４】
前記ＣＦＩ値のセットが、フレーム内の、伝送時間間隔（ＴＴＩ）のセット、または短い伝送時間間隔（ｓＴＴＩ）のセットに対応する、請求項３３に記載の制御情報伝送方法。
【請求項３５】
前記ＴＴＩのセットが、ダウンリンクＴＴＩおよび特別なＴＴＩを含むか、または
前記ｓＴＴＩのセットが、ダウンリンクｓＴＴＩおよび特別なｓＴＴＩを含む、請求項３４に記載の制御情報伝送方法。
【請求項３６】
前記ＴＴＩのセットが、アップリンクＴＴＩさらに含むか、または
前記ｓＴＴＩのセットが、アップリンクｓＴＴＩをさらに含む、請求項３４に記載の制御情報伝送方法。
【請求項３７】
各ＣＦＩ値が、ＴＴＩまたはｓＴＴＩに対応する、請求項３４に記載の制御情報伝送方法。
【請求項３８】
前記少なくとも１つのＣＦＩ値に対応する１つまたは複数のＴＴＩまたはｓＴＴＩが、前記少なくとも１つのダウンリンク制御チャネルのために構成される、請求項３７に記載の制御情報伝送方法。
【請求項３９】
前記ダウンリンク制御チャネルが、物理ダウンリンク制御チャネル（ＰＤＣＣＨ）、または短い物理ダウンリンク制御チャネル（ｓＰＤＣＣＨ）である、請求項３３〜３８のいずれか一項に記載の制御情報伝送方法。
【請求項４０】
前記ＣＦＩパターンが、準静的に構成される、請求項３３〜３９のいずれか一項に記載の制御情報伝送方法。
【請求項４１】
前記ＣＦＩパターンが、準静的に構成され、
ユーザ機器に無線リソース制御（ＲＲＣ）信号を伝送するステップであって、前記ＣＦＩパターンを示す情報が前記ＲＲＣ信号内で搬送される、ステップを含む、請求項３３〜４０のいずれか一項に記載の制御情報伝送方法。
【請求項４２】
制御情報が、ロングタームエボリューション（ＬＴＥ）で伝送される、請求項３３〜４１のいずれか一項に記載の制御情報伝送方法。
【発明の詳細な説明】
【技術分野】
【０００１】
本発明は、制御情報伝送に関する。詳細には、本発明は、制御情報伝送のための制御形式インジケータに関する。より詳細には、本発明は、ＬＴＥでのダウンリンク制御チャネルの伝送のための制御形式インジケータに関する。
【背景技術】
【０００２】
電気通信におけるロングタームエボリューション（ＬＴＥ：Ｌｏｎｇ−Ｔｅｒｍ  Ｅｖｏｌｕｔｉｏｎ）、ならびに次世代通信規格およびシステムの出現とともに、ますます多くのデバイスが、データの生成およびレポート、伝達、共有、ならびに／または処理のために接続されるようになっている。モバイルデバイスの大半は、階層的に上の基地局に通信するため、信号および制御情報が、信頼できる通信を確実にするために基地局とそれらの対応するモバイルデバイスとの間で交換されなければならない。
【０００３】
基地局とそれらの対応するモバイルデバイスとの間で信号および制御情報を首尾よく交換するために、様々な制御チャネルが使用され得る。１つの制御チャネルは、ダウンリンク制御情報（ＤＣＩ：Ｄｏｗｎｌｉｎｋ  Ｃｏｎｔｒｏｌ  Ｉｎｆｏｒｍａｔｉｏｎ）を基地局からモバイルデバイスへ、例えば、ユーザ機器（ＵＥ）へ搬送するために使用される物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であり得る。ＰＤＣＣＨは、ダウンリンク（ＤＬ）リソース配分のためのＵＥ特有のスケジューリング割り当て、アップリンク（ＵＬ）グラント、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）応答、ＵＬ電力制御コマンド、および／または信号メッセージのための共通のスケジューリング割り当てを搬送し得る。ＰＤＣＣＨまたは任意の他の制御チャネルは、そのため、各サブフレーム内の符号を占有し得、制御チャネルを伝送するために使用される符号の数は様々であり得る。これに関して、サブフレームは、トランスポートブロックセット（ＴＢＳ：Ｔｒａｎｓｐｏｒｔ  Ｂｌｏｃｋ  Ｓｅｔ）の時間間隔を規定し、伝送路上の伝送時間を指す伝送時間間隔（ＴＴＩ：Ｔｒａｎｓｍｉｓｓｉｏｎ  Ｔｉｍｅ  Ｉｎｔｅｒｖａｌ）に対応する。ＰＤＣＣＨは、例えば、各サブフレームの始まりにおける符号を占有し得、１つ、２つ、または３つの符号が、ＰＤＣＣＨを伝送するために使用され得る。
【０００４】
ＵＥがＰＤＣＣＨなどの制御チャネルを正確に受信することができるためには、ＵＥは、制御チャネルが搬送されることになるサブフレームの符号がどれなのかをあらかじめ知っている必要がある。したがって、いくつの符号が各サブフレームにおいて制御チャネルを搬送するために使用されるかをＵＥに伝えるインジケータである制御形式インジケータ（ＣＦＩ：Ｃｏｎｔｒｏｌ  Ｆｏｒｍａｔ  Ｉｎｄｉｃａｔｏｒ）が使用され得る。したがって、ＣＦＩは、制御チャネル伝送の持続時間についてＵＥに伝えるために使用され得る。ＣＦＩは、サブフレーム内の制御符号の数を伝達する、物理制御形式インジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）または無線リソース制御（ＲＲＣ：Ｒａｄｉｏ  Ｒｅｓｏｕｒｃｅ  Ｃｏｎｔｒｏｌ）信号を使用して伝送され得る。
【０００５】
今に至るまで、ＣＦＩ信頼性を確実にするために準静的ＣＦＩ構成を使用するが一般的であった。これに関して、ＵＥは、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）上で周期的なチャネル状態情報（ＣＳＩ：Ｃｈａｎｎｅｌ−ｓｔａｔｅ  ｉｎｆｏｒｍａｔｉｏｎ）レポートを実施するように上位層によって準静的に構成される。加えて、単一のＣＦＩ値が、通常、複数のサブフレーム内の制御符号の数を示すために使用されており、制御符号の数は、各サブフレームで同じである。しかしながら、単一のＣＦＩ値を使用すること、および故に、複数のＴＴＩに対応する複数のサブフレームに同じ設定を使用することは、冗長な制御チャネルリソースおよび不均等な制御負荷に起因するシステム効率の減少およびスケジュール制約を結果としてもたらし得る。
【発明の概要】
【発明が解決しようとする課題】
【０００６】
したがって、本発明の目的は、制御チャネル内で伝達される制御チャネル情報の正しい伝送および処理を確実にすると同時に、改善されたシステム効率およびスケジュール制約の回避のための機序を提供することである。さらに、本発明の目的は、制御チャネル情報の正しい伝送および処理を確実にすると同時に、改善されたシステム効率を達成することができ、スケジュール制約を回避することができる対応するユーザ機器およびネットワークノードを提供することである。
【課題を解決するための手段】
【０００７】
上述の問題は、独立請求項の主題によって解決される。更なる好ましい実施形態は、従属請求項内に規定される。
【０００８】
本発明の実施形態によると、制御情報を獲得するように構成されるユーザ機器（ＵＥ）であって、複数のダウンリンク制御チャネルに対応する制御形式インジケータ（ＣＦＩ）パターンを獲得するように構成される処理ユニットと、ＣＦＩパターンに基づいてダウンリンク制御チャネルの各々において搬送されるダウンリンク制御情報を復号するように構成される復号ユニットとを備える、ＵＥが提供される。
【０００９】
本発明の別の実施形態によると、ＵＥによる制御情報獲得方法であって、複数のダウンリンク制御チャネルに対応するＣＦＩパターンを獲得するステップと、ＣＦＩパターンに基づいてダウンリンク制御チャネルの各々において搬送されるダウンリンク制御情報を復号するステップとを含む、制御情報獲得方法が提供される。
【００１０】
本発明の別の実施形態によると、制御情報を伝送するように構成されるネットワークノードであって、複数のダウンリンク制御チャネルに対応するＣＦＩパターンを選択するように構成される処理ユニットと、ＣＦＩパターンに基づいてダウンリンク制御チャネルの各々において搬送されるダウンリンク制御情報を符号化するように構成される符号化ユニットとを備える、ネットワークノードが提供される。
【００１１】
本発明の別の実施形態によると、ネットワークノードによる制御情報伝送方法であって、複数のダウンリンク制御チャネルに対応するＣＦＩパターンを選択するステップと、ＣＦＩパターンに基づいてダウンリンク制御チャネルの各々において搬送されるダウンリンク制御情報を符号化するステップとを含む、制御情報伝送方法が提供される。
【図面の簡単な説明】
【００１２】
本発明の概念をよりよく理解するために提示され、本発明を限定するものとして見られることのない、本発明の実施形態は、これより図面を参照して説明される。
【００１３】
【図１】従来技術のシナリオにおけるネットワークノードおよびユーザ機器の間での通信の概略図である。
【図２Ａ】ネットワークノードとユーザ機器との間のダウンリンクの一般的なＬＴＥ伝送構造を示す図である。
【図２Ｂ】ネットワークノードとユーザ機器との間の伝送のためのサブフレーム内の制御チャネル領域を示す図である。
【図３】１つの無線フレームのための時間分割複信（ＴＤＤ：Ｔｉｍｅ  Ｄｉｖｉｓｉｏｎ  Ｄｕｐｌｅｘ）構成を示す図である。
【図４Ａ−４Ｂ】本発明に従うチャネル伝送のために構成されるユーザ機器を示す図である。
【図５】本発明に従うユーザ機器によって実施される制御情報伝送方法を示す図である。
【図６】制御チャネル伝送を構成するための例示的なテーブルを示す図である。
【図７】制御チャネル伝送を構成するための例示的なテーブルを示す図である。
【図８Ａ−８Ｂ】制御チャネル伝送を構成するためのユーザ機器に関するフロー図である。
【図９Ａ−９Ｂ】本発明に従うチャネル伝送のために構成されるネットワークノードを示す図である。
【図１０Ａ−１０Ｂ】本発明に従うネットワークノードによって実施される制御情報伝送方法に関するフロー図である。
【図１１】本発明に従うユーザ機器によって実施される制御情報伝送方法に関するフロー図である。
【発明を実施するための形態】
【００１４】
図１は、従来技術のシナリオにおけるユーザ機器  （ＵＥ）の間での直接通信の概略図を示す。それに応じて、例として携帯電話１１および１２の形態で示される２つのＵＥの構成が示されている。これらのＵＥは、ＧＳＭ、ＰＣＳ、３ＧＰＰ、ＬＴＥ、ＬＴＥ−Ａ、ＵＭＴＳ、３Ｇ、４Ｇ、５Ｇを含むがこれらに限定されない従来の電気通信規格のうちの１つまたは複数に従って動作するように、処理および通信機能を含み得る。これらの規格のうちの１つまたは複数において、通信は、ネットワークノード２１（それぞれの規格、トポロジ、およびインフラストラクチャに従って、基地局、ＮｏｄｅＢ、ｅＮｏｄｅＢ、ｇＮｏｄｅＢなどの他の名称が適用され得る）に向けて、ＵＥ１１からネットワークノード２１へデータを搬送するアップリンク（ＵＬ）方向１１１、およびネットワークノード２１からＵＥ１１へデータを搬送するダウンリンク（ＤＬ）方向２１１において発生する。次に、ネットワークノード２１は、バックグラウンドネットワーク３（コアネットワーク、インターネット、および同様のもの）に通信し得る。第２のＵＥ、例えば、携帯電話１２は、それぞれのＵＬおよびＤＬ方向１２０にわたって同じネットワークノード２１を介して、またはそれぞれのリンク（破線）にわたって更なるネットワークノード２２を介して通信し得る。
【００１５】
図２Ａは、ネットワークノードとＵＥとの間のダウンリンクの一般的なＬＴＥ伝送構造を示す。０．５ｍｓの１つのスロット２１０は、７つの連続した直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）符号からなり得、１ｍｓの１つのサブフレーム２２０は、２つの連続したスロット２１０を含み得る。サブフレーム２２０は、伝送時間間隔（ＴＴＩ）に対応し得、スロット２１０は、短い伝送時間間隔（ｓＴＴＩ）に対応し得る。１０ｍｓの１つの無線フレームは、１０個のサブフレームを含み得、時間分割複信（ＴＤＤ）では、サブフレームは、ダウンリンクまたはアップリンクのいずれかに割り当てられ得る。いくつかのサブフレームはまた、ガード期間を含む特別なサブフレームに割り当てられ得、特別なサブフレームは、ダウンリンク伝送とアップリンク伝送との間で切り替えるために使用される。リソースブロック（ＲＢ）２３０は、１つのスロット２１０にわたって１２個の連続したサブキャリア２４０からなり得る。これに関して、リソース要素（ＲＥ）２４１は、１つのＯＦＤＭ符号上の１つのサブキャリアであり得る。
【００１６】
異なる論理データトランスポートチャネルが、図２Ａに示されるようなこれらのリソースを共有し得、物理ブロードキャストチャネル（ＰＢＣＨ：Ｐｈｙｓｉｃａｌ  Ｂｒｏａｄｃａｓｔ  Ｃｈａｎｎｅｌ）が、基本的なシステム構成情報のために使用され得、物理マルチキャストチャネル（ＰＭＣＨ：Ｐｈｙｓｉｃａｌ  Ｍｕｌｔｉｃａｓｔ  Ｃｈａｎｎｅｌ）が、マルチメディアブロードキャストおよびマルチキャストサービス（ＭＢＭＳ：Ｍｕｌｔｉｍｅｄｉａ  Ｂｒｏａｄｃａｓｔ  ａｎｄ  Ｍｕｌｔｉｃａｓｔ  Ｓｅｒｖｉｃｅｓ）のために使用され得、メインデータトランスポートチャネルである物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）が、トランスポートブロック（ＴＢ）と呼ばれるデータのブロックを伝送するために使用され得る。１つのＴＢは、単一のＴＴＩの間に伝送され得、不正確に受信されたＴＢの再伝送は、ハイブリッド自動反復要求（ＨＡＲＱ：Ｈｙｂｒｉｄ  Ａｕｔｏｍａｔｉｃ  Ｒｅｐｅａｔ  Ｒｅｑｕｅｓｔ）機能によって対処され得る。
【００１７】
ＰＤＣＣＨのような論理制御チャネルは、構成可能な数のＯＦＤＭ符号内の制御チャネル領域に割り当てられ得る。例えば、図２Ｂに示されるように、制御チャネル領域２２５は、各サブフレームの始まりにおける符号からなり得、制御チャネルは、サブフレームの、最初の符号、最初の２つの符号、または最初の３つの符号に割り当てられ得る。
【００１８】
各サブフレーム内で、ＰＤＣＣＨのようなダウンリンク制御チャネルなどの制御チャネル上での制御情報伝送のために使用される符号の数および位置を示すために、制御形式インジケータ（ＣＦＩ）を搬送する物理制御形式インジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）が使用され得る。ＣＦＩを搬送するための物理層を使用する代わりに、無線リソース制御（ＲＲＣ）層が、ＲＲＣ信号内でＣＦＩを搬送するために使用され得る。ＲＲＣ層によって提供される信号の利点は、より高い拡張性であり得るが、これは、例えば、ＲＲＣ信号が、例えばＬＴＥの将来的な解放の向上、および安全かつ信頼できる伝送のための追加の制御情報を収容するために、容易に拡張され得るためである。
【００１９】
例えば、ネットワークノードは、制御情報伝送の持続時間についてＵＥに知らせるために、ＣＦＩをＵＥに伝送し得る。例えば、ネットワークノードが、ＣＦＩ値１を有するＣＦＩをＵＥに送信し、各サブフレームの始まりにおける符号が、後続の制御情報伝送のために使用されることになる場合、ＵＥは、ＰＤＣＣＨのようなダウンリンク制御チャネルなどの制御チャネルがサブフレームの始まりにおける符号１上で伝送されることを予期する。ネットワークノードが、ＣＦＩ値２を有するＣＦＩをＵＥに送信する場合、ＵＥは、制御チャネルがサブフレームの始まりにおける符号１および２上で伝送されることを予期するが、３のＣＦＩ値の場合は、ＵＥは、制御チャネルがサブフレームの始まりにおける符号１、２、および３上で伝送されることを予期する。したがって、ＣＦＩ値は、制御情報伝送の持続時間および制御情報伝送のための符号の位置をＵＥに示し得、制御情報は、制御チャネル上で搬送される。ＵＥがＣＦＩを受信すると、ＵＥは、サブフレーム内のＣＦＩを復号し得、次いで、ＣＦＩ内に示されるＯＦＤＭ符号の数および制御情報伝送の持続時間に基づいて、ダウンリンク制御情報のような制御情報を復号し得る。
【００２０】
しかしながら、上で論じられるような、および本技術分野においてよく知られているようなこの種の設定は、システム効率に関していくつかの欠点を有する。ＣＦＩは、今に至るまで、単一のＣＦＩ値のみを示すため、制御  領域２２５は、例えば、１つの無線フレームのサブフレームの間で異ならない。例証の目的のため、無線フレーム５０が図３に示され、無線フレーム５０は、１０個のサブフレーム２２０からなる。ＴＤＤ構成は、１つの無線フレーム内の各サブフレーム２２０についての構成を示し得、図３内の文字「Ｄ」を有するサブフレーム２２０は、ダウンリンク伝送に割り当てられるサブフレームであり、図３内の文字「Ｕ」を有するサブフレーム２２０は、アップリンク伝送に割り当てられるサブフレームであり、図３内の文字「Ｓ」を有するサブフレーム２２０は、ダウンリンク伝送からアップリンク伝送に切り替えるために使用される特別なサブフレームである。２のＣＦＩ値は、ダウンリンクに割り当てられるサブフレームについて図３に例示的に例証されるように、各サブフレームの最初の２つの符号が制御チャネルを搬送するために使用されることをＵＥに示し得る。この例では、制御領域２２５は、ＣＦＩ値２によって示される２つの符号からなる（サブフレーム２２０の斜線付きの最初の２つの符号を参照のこと）。
【００２１】
図３を参照して説明されるようなこの設定は、アップリンク／ダウンリンク／特別なサブフレーム構成、ならびに減少したシステム効率およびスケジュール制約をもたらす異なるサブフレーム内の不均等な制御負荷を考慮しない。１つの無線フレーム内のすべてのサブフレームについて同じＣＦＩ値を使用することは、減少したシステム動作性をもたらし得、これは本発明では回避されなければならない。したがって、以下の実施形態は、システム効率を改善すると同時にスケジュール制限および冗長な制御チャネルリソースを回避するためのＣＦＩパターンを考慮することによって、上述の問題に取り組む。ＣＦＩパターンは、異なるサブフレーム内の異なるダウンリンク制御チャネル持続時間を考慮するために使用され得、これは、異なるサブフレーム内の不均等な制御負荷に有益であり得る。
【００２２】
図４Ａは、制御情報を獲得するように構成され得るＵＥ４００’の１つの実施形態を示す。ＵＥ４００’は、ＣＦＩパターンを獲得するように構成され得る処理ユニット４２０を備え得、ＣＦＩパターンは、ＣＦＩ値のセットを含む。少なくとも１つのＣＦＩ値は、少なくとも１つのダウンリンク制御チャネルの持続時間を示し得る。
【００２３】
加えて、ＵＥ４００’は、ＣＦＩパターンに基づいて少なくとも１つのダウンリンク制御チャネル上で搬送されるダウンリンク制御情報を復号するように構成され得る復号ユニット４３０を備え得る。言い換えると、ＣＦＩパターンは、１つの無線フレーム内の様々なサブフレーム構成に従って制御情報伝送の持続時間および／または制御チャネルを搬送するための符号位置を設定し得るＣＦＩ情報を含み得る。
【００２４】
図４Ｂは、図４Ａに関するＵＥ４００’の処理ユニット４２０および復号ユニット４３０に加えて、ＣＦＩパターンを示す情報を受信するように構成される受信ユニット４１０を備え得るＵＥ４００の別の実施形態を示し、ＣＦＩパターンは、少なくとも２つのサブフレーム内に、ダウンリンク制御チャネルのような制御チャネルを搬送するためのＣＦＩ情報指示持続時間および／または符号位置を含む。ダウンリンク制御チャネルを搬送するための持続時間および位置は、各サブフレームの構成に依存し得る。
【００２５】
ＵＥ４００’の処理ユニット４２０と同じ機能を有するＵＥ４００の処理ユニット４２０は、受信ユニット４１０によって受信される情報からＣＦＩパターンを獲得するように構成され得、ＣＦＩパターンは、複数のダウンリンク制御チャネルに対応し得る。加えて、ＵＥ４００’の復号ユニット４３０と同じ機能を有するＵＥ４００の復号ユニット４３０は、ＣＦＩパターンに基づいて、ダウンリンク制御チャネルの各々において搬送されるダウンリンク制御情報を復号するように構成され得る。ＵＥ４００および４００’は、ＬＴＥで制御情報を伝送するように構成され得、ダウンリンク制御チャネルは、ＰＤＣＣＨまたは短い物理ダウンリンク制御チャネル（ｓＰＤＣＣＨ）であり得る。
【００２６】
加えて、ＵＥ４００は、各サブフレームについてＣＦＩ情報を含むＣＦＩパターンを記憶し得る記憶ユニット４４０、およびアップリンク伝送の間、ネットワークノードに、例えば、基地局に、データを伝送し得る伝送ユニット４５０を備え得る。
【００２７】
ＣＦＩパターンを示し、受信ユニット４１０によって受信される情報は、ＣＦＩパターンを規定する情報を含み得るか、または事前に定められたＣＦＩパターンを参照する情報を含み得る。ＣＦＩパターンを規定する情報が、ネットワークノードから対応するＵＥ４００または４００’に伝送される場合、ＵＥ４００および４００’、特に処理ユニット４２０は、伝送された情報から直接ＣＦＩパターンを獲得することができる。これは、ＣＦＩパターンを規定する情報がＣＦＩパターン自体に等しいものであり得ることを意味する。
【００２８】
その一方、事前に定められたＣＦＩパターンを参照する情報が、ネットワークノードから対応するＵＥ４００または４００’に伝送される場合、ＵＥ４００または４００’の処理ユニット４２０は、例えば、複数の事前に定められ、かつ事前に記憶されたＣＦＩパターンから、受信した情報に対応するＣＦＩパターンを獲得し得る。これは、例えば、ＵＥ４００または４００’が情報として１つの値またはポインタをネットワークノードから受信し、あらかじめ構成されているＣＦＩパターンの事前に記憶されたリストから、受信した情報に対応するＣＦＩパターンを獲得することを意味する。ＣＦＩパターンの事前に記憶されたリストは、例えば、記憶ユニット４２０に前もって記憶され得る。
【００２９】
図５は、ＵＥ４００または４００’によって実行される制御情報獲得方法を例証し、本方法は、ＣＦＩパターンを獲得するステップ５１０を含む。ＣＦＩパターンは、ＣＦＩ値のセットを含み得、少なくとも１つのＣＦＩ値は、少なくとも１つのダウンリンク制御チャネルの持続時間を示し得る。ＵＥ４００または４００’の処理ユニット４２０は、上により詳細に説明されるように、ＣＦＩパターンを示す情報からＣＦＩパターンを獲得し得る。例えば、受信ユニット４１０が、ＣＦＩを示す情報を受信し得、処理ユニット４２０が、受信した情報からＣＦＩパターンを獲得し得るか、または処理ユニット４２０は、メモリにアクセスすること、ポインタにアクセスすることなどによって、あらかじめ既に記憶されている情報からＣＦＩパターンを獲得または受信し得る。
【００３０】
続いて、ステップ５２０において、ＵＥ４００または４００’、特に復号ユニット４３０は、ＣＦＩパターンに基づいてダウンリンク制御チャネルの各々において搬送されるダウンリンク制御情報を復号し得る。
【００３１】
本発明の実施形態によると、ＵＥ４００および４００’によってネットワークノードから獲得されるＣＦＩパターンは、準静的に構成され得る。ＣＦＩパターンが準静的に構成される場合、ＵＥ４００および４００’は、ネットワークノードから無線リソース制御（ＲＲＣ）信号を受信するように構成され得、ＣＦＩパターンを示す情報がＲＲＣ信号内で搬送され、処理ユニット４２０は、ＲＲＣ信号からＣＦＩパターンを受信または獲得するように構成され得る。ここでも、ＣＦＩパターンを示し、ＵＥ４００および４００’によって受信される情報は、ＣＦＩパターンを規定する情報であり得るか、または、ポインタなどの、事前に定められたＣＦＩパターンを参照する情報であり得る。
【００３２】
ＣＦＩパターンに含まれるＣＦＩ情報は、例えば、ＰＤＣＣＨのようなダウンリンク制御チャネルが、ダウンリンク伝送のために割り当てられたサブフレームの始まりにおける符号１および２上で伝送されることを示し得、また、ダウンリンク制御チャネルが、特別なサブフレームの始まりにおける符号１上でのみ伝送されることを示し得る。したがって、ＣＦＩパターンに含まれるＣＦＩ情報は、ダウンリンク制御チャネルの持続時間およびダウンリンク制御チャネルを搬送する符号の位置を、１つのフレーム、例えば、無線フレーム内の全サブフレームについて個々に示すことができ、ダウンリンク制御チャネルの持続時間および符号の位置は、サブフレーム構成に依存し得る。言い換えると、ＣＦＩパターン内のＣＦＩ情報は、ダウンリンク制御チャネルの持続時間およびダウンリンク制御チャネルを搬送する符号の位置を示し得、ダウンリンク制御チャネルの持続時間は、異なるサブフレーム間では異なり得る。制御チャネルは、常に各サブフレームの始まりにおいて伝送されなければならないわけではないこと、および制御チャネルを伝送するための符号の任意の他の位置が可能であり得ることに留意されたい。
【００３３】
サブフレームの構成、すなわち、サブフレーム構成は、サブフレームがダウンリンク伝送またはアップリンク伝送に割り当てられることを示し得るか、またはサブフレームがダウンリンク伝送とアップリンク伝送との間で切り替えるために使用される特別なサブフレームであることを示し得る。上で既に説明したように、ＴＤＤ構成は、次いで、無線フレーム内の各サブフレームについてのサブフレーム構成を示し得、ＴＤＤ構成が文字「Ｄ」を含む場合、対応するサブフレームまたはＴＴＩは、ダウンリンク伝送に割り当てられる。ＴＤＤ構成が文字「Ｕ」を含む場合、対応するサブフレームまたはＴＴＩは、アップリンク伝送に割り当てられる。最後に、ＴＤＤ構成が文字「Ｓ」を含む場合、対応するサブフレームまたはＴＴＩは、ダウンリンク伝送からアップリンク伝送へ切り替えるために使用される特別なサブフレームである。同じ構成が、無線フレーム内のスロットにも有効であり、スロットは、ｓＴＴＩに対応する。
【００３４】
１つの実施形態において、ＣＦＩパターンは、複数のＣＦＩ値、例えばＣＦＩ値のセットを含み得、各ＣＦＩ値は、ダウンリンク制御チャネルの持続時間を示し得る。各ＣＦＩ値は、対応するサブフレーム内のダウンリンク制御チャネルを搬送する少なくとも１つの符号の位置をさらに示し得る。
【００３５】
別の実施形態において、ＣＦＩ値のセットは、各フレーム内のＴＴＩまたはｓＴＴＩのセットに対応し得、各フレーム上でダウンリンク制御情報が伝送され得る。ダウンリンク制御情報が伝送されるフレームは、各サブフレームが２つのスロットを含む１０個のサブフレームを含む無線フレームに対応し得る。各サブフレームは、１つのＴＴＩに対応し得、各スロットは、１つのｓＴＴＩに対応し得る。ＴＴＩのセットは、ダウンリンクＴＴＩおよび特別なＴＴＩを含む一方、ｓＴＴＩのセットは、ダウンリンクｓＴＴＩおよび特別なｓＴＴＩを含み得る。加えて、ＴＴＩのセットは、アップリンクＴＴＩを含み得、ｓＴＴＩのセットは、アップリンクｓＴＴＩを含み得る。
【００３６】
これに関して、ダウンリンクＴＴＩに対応するサブフレームまたはダウンリンクＴＴＩに対応するスロットは、ダウンリンクに割り当てられるサブフレームまたはスロットである一方、アップリンクＴＴＩに対応するサブフレームまたはアップリンクｓＴＴＩに対応するスロットは、アップリンクに割り当てられるサブフレームまたはスロットである。さらには、特別なＴＴＩに対応するサブフレームまたは特別なｓＴＴＩに対応するスロットは、特別なサブフレームまたは特別なスロットである。
【００３７】
ＣＦＩ値のセットは、複数のＣＦＩ値を含み得、各ＣＦＩ値は、ダウンリンク制御伝送の持続時間、および／またはダウンリンク制御チャネルを搬送するために使用され得る少なくとも１つの符号の位置を示し得る。１のＣＦＩ値は、例えば、サブフレームの始まりにおける最初の符号がダウンリンク制御チャネル伝送のために使用されることをＵＥ４００および４００’に示し得、持続時間は１つのＴＴＩである。
【００３８】
１つの可能性は、ＣＦＩ値のセットが複数のＣＦＩ値からなり、各ＣＦＩ値が、１つの無線フレーム内の１つのサブフレーム／スロットに対応し、サブフレーム／スロットがＴＴＩ／ｓＴＴＩに対応する、ということである。したがって、ＣＦＩ値のセットの各ＣＦＩ値は、ＴＴＩまたはｓＴＴＩに対応し得る。少なくとも１つのＣＦＩ値に対応する１つまたは複数のＴＴＩまたはｓＴＴＩは、少なくとも１つのダウンリンク制御チャネルのために構成され得る。
【００３９】
１つの無線フレーム内に１０個のサブフレームまたは１０個のＴＴＩが存在し得る場合、ＣＦＩ値のセットは、１０個のＣＦＩ値から成り得、各ＣＦＩ値は、対応するサブフレーム内のダウンリンク制御チャネルを搬送する符号の数および／または位置を示す。例えば、ＣＦＩ値のセットは、ＴＴＩ／ｓＴＴＩのセット｛０，１，２，３，４，５，６，７，８，９｝に対応するサブフレームのセットについて｛２，１，０，０，２，２，１，０，０，２｝であり得、サブフレームのセットからなる無線フレームは、ＴＤＤ構成｛Ｄ  Ｓ  Ｕ  Ｕ  Ｄ  Ｄ  Ｓ  Ｕ  Ｕ  Ｄ｝を有し得る。したがって、持続時間ダウンリンク制御チャネル伝送、例えば、ｓＰＤＣＣＨ／ＰＤＣＣＨ持続時間は、ＣＦＩ値のセットに基づいて｛２，１，０，０，２，２，１，０，０，２｝であり得る。
【００４０】
これに関して、ダウンリンク制御チャネル持続時間値は、ＴＴＩ／ｓＴＴＩの数、またはダウンリンク制御情報伝送のために各サブフレーム内で使用される符号の数を示し得る。符号がサブフレームの特定の部分に固定される場合、符号の数は、サブフレーム内の符号の位置も示し得る。例えば、ダウンリンク制御チャネルを搬送するための符号が、各サブフレームの始まりに割り当てられる場合、ダウンリンク制御チャネル持続時間を示すＣＦＩ値は、符号の位置を示す。
【００４１】
この例は、１つの無線フレーム内のそれぞれのサブフレーム、ＣＦＩ値、対応するサブフレーム内の符号位置、および１つの無線フレーム内の各サブフレーム０〜９についてのＴＤＤ構成についてのカラムを有する例示的なテーブルを示す図６にも示される。ここでは、制御チャネルを搬送するための符号は、各サブフレームの始まりに割り当てられるが、サブフレーム内の任意の他の位置が可能であり得る。例示的なテーブルは、ＣＦＩ値のセットを有するＣＦＩパターンを使用することによって、各サブフレームが個々に構成され得ることを示し、結果として改善されたシステム効率をもたらす。
【００４２】
より詳細には、図６によると、ＣＦＩパターンは、｛Ｄ  Ｓ  Ｕ  Ｕ  Ｄ  Ｄ  Ｓ  Ｕ  Ｕ  Ｄ｝のＴＤＤ構成を有する１つの無線フレーム内のサブフレーム０〜９では｛２，１，０，０，２，２，１，０，０，２｝である。例えば、ダウンリンク伝送に割り当てられているサブフレーム０では（ＴＤＤ構成「Ｄ」を参照のこと）、ＣＦＩ値は２であり、これは、ＣＦＩパターンから第１のＣＦＩ値を得ることによって獲得される。したがって、サブフレーム０の最初の２つの符号は、ダウンリンク制御チャネルのために使用される（カラム「符号位置」に描写されたサブフレーム内の斜線付きの最初の２つの符号を参照のこと）。その一方で、アップリンク伝送に割り当てられるサブフレーム２  は（ＴＤＤ構成「Ｕ」を参照のこと）、ＣＦＩ値０を有し、その結果として、対応するサブフレーム内のいかなる符号もダウンリンク制御チャネルのために使用されない（描写されたサブフレーム内に斜線付きの符号がないことを参照のこと）。
【００４３】
別の実施形態において、ＣＦＩパターンは、ダウンリンク制御情報が伝送されるフレーム内のＴＴＩのセットに対応するＣＦＩ値のセットのセットを示し得、ＴＴＩのセットは、ダウンリンクＴＴＩおよび／または特別なＴＴＩのセットである。ＣＦＩパターンが、ダウンリンク制御情報が伝送されるフレーム内のｓＴＴＩのセットに対応するＣＦＩ値のセットを示す場合、ｓＴＴＩのセットは、ダウンリンクｓＴＴＩおよび／または特別なｓＴＴＩのセットであり得る。アップリンク伝送に割り当てられるサブフレーム／スロットのダウンリンク制御チャネル持続時間は、ゼロに設定される。
【００４４】
ダウンリンクＴＴＩ／ｓＴＴＩは、ダウンリンク伝送に割り当てられるサブフレーム／スロットに対応し得、特別なＴＴＩ／ｓＴＴＩは、特別なサブフレーム／特別なスロットに対応し得る。ここでも、ＣＦＩ値のセットの各ＣＦＩ値は、ダウンリンク制御チャネルの持続時間、および／または対応するサブフレーム内のダウンリンク制御チャネルを搬送する少なくとも１つの符号の位置を示し得、この実施形態では、サブフレームは、ダウンリンク伝送に割り当てられるか、または特別なサブフレームである。
【００４５】
例えば、ＣＦＩ値のセットは、ＴＴＩ／ｓＴＴＩのセット｛０，１，４，５，６，９｝に対応し得る｛２，１，２，２，１，２｝であり得る。ＴＴＩ／ｓＴＴＩのセットを含む無線フレームのＴＤＤ構成は、例えば、｛Ｄ  Ｓ  Ｕ  Ｕ  Ｄ  Ｄ  Ｓ  Ｕ  Ｕ  Ｄ｝であり得る。したがって、この例では、ダウンリンク伝送に割り当てられるサブフレーム／スロットについての、および特別なサブフレーム／スロットについてのダウンリンク制御チャネル持続時間のみが、ＣＦＩ値のセット内に与えられる。アップリンク伝送に割り当てられるサブフレーム／スロットについてのダウンリンク制御チャネル持続時間は、ＣＦＩ値のセットを含むＣＦＩパターン内に明示的に与えられず、ゼロに設定され得る。言い換えると、アップリンク伝送に割り当てられるサブフレーム／スロットについてのダウンリンク制御チャネル持続時間は、アップリンク伝送に割り当てられるサブフレーム／スロットについてのダウンリンク制御チャネル持続時間を自動的にゼロに設定することによって、ＣＦＩパターンから暗黙的に導出され得る。ここでも、各サブフレーム／スロットは、個々に構成され得、結果として改善されたシステム効率をもたらす一方で、ＣＦＩパターンの長さが短縮され得る。
【００４６】
別の実施形態によると、ＣＦＩパターンは、ＣＦＩ値を含み得、処理ユニット４２０は、ダウンリンク制御チャネルの複数の持続時間を獲得するようにさらに構成され、複数の持続時間は、ダウンリンク制御情報が伝送されるフレーム内の複数のＴＴＩまたはｓＴＴＩに対応する。ダウンリンク制御情報が伝送されるフレームは、ここでも、各サブフレームが２つのスロットからなる１０個のサブフレームを含む無線フレームに対応し得る。各サブフレームは、１つのＴＴＩに対応し得、各スロットは、１つのｓＴＴＩに対応し得る。
【００４７】
例えば、ＵＥ４００および４００’は、上に説明されるようにＣＦＩパターンを示す情報をネットワークノードから受信し得、処理ユニット４２０は、受信した情報からＣＦＩパターンを獲得することができてもよい。獲得したＣＦＩパターンは、ＣＦＩ値を含み得、ＣＦＩ値は、複数のＴＴＩまたはｓＴＴＩを有するＴＴＩまたはｓＴＴＩのセットを参照し、複数のＴＴＩまたはｓＴＴＩは、特定のＴＤＤ構成を有する１つの無線フレームの部分であり得る。
【００４８】
図７に例証されるように、処理ユニット４２０は、例えば、２のＣＦＩ値を有するＣＦＩパターンを獲得し得、また、例えば、記憶ユニット４４０内など、ＵＥ４００および４００’内に記憶されるテーブルから、対応するＴＴＩ／ｓＴＴＩのセット｛０，４，５，９｝を獲得し得る。ＴＴＩ／ｓＴＴＩのセット｛０，４，５，９｝は、ＴＤＤ構成｛Ｄ  Ｓ  Ｕ  Ｕ  Ｄ  Ｄ  Ｓ  Ｕ  Ｕ  Ｄ｝を有する無線フレームの部分であり得、その結果として、ＵＥ４００の復号ユニット４３０は、ＣＦＩパターンに基づいて、ダウンリンク制御チャネルの各々において搬送されるダウンリンク制御情報を復号することができる。この例では、ダウンリンク伝送に割り当てられる、各ＴＴＩ／ｓＴＴＩ、すなわち各サブフレーム／スロットについてのダウンリンク制御チャネル伝送の持続時間は、２である。
【００４９】
ここで、同じＴＤＤ構成｛Ｄ  Ｓ  Ｕ  Ｕ  Ｄ  Ｄ  Ｓ  Ｕ  Ｕ  Ｄ｝を有する無線フレーム内の各々の特別なサブフレーム／スロットに対応する各々の特別なＴＴＩ／ｓＴＴＩについてダウンリンク制御チャネル伝送の持続時間を獲得するために、ＵＥ４００およびＵＥ４００’が、別のＴＴＩ／ｓＴＴＩのセットに対応する別のＣＦＩパターンを示す情報を受信し得るか、処理ユニット４２０が、ダウンリンクＴＴＩ／ｓＴＴＩのセット｛０，４，５，９｝を示すＣＦＩ値２を有する既に獲得されたＣＦＩパターンに基づいてＣＦＵパターンを獲得することが可能であり得るか、のいずれかである。１つの実施形態において、処理ユニット４２０は、特別なＴＴＩ／ｓＴＴＩのセットを示すＣＦＩ値を獲得するために、ダウンリンクＴＴＩ／ｓＴＴＩのセットを示す受信したＣＦＩ値をデクリメントするように構成され得る。
【００５０】
例えば、処理ユニット４２０は、ダウンリンクＴＴＩ／ｓＴＴＩのセットを示す獲得したＣＦＩ値２を１だけデクリメントするように構成され得、特別なＴＴＩ／ｓＴＴＩのセットを示すＣＦＩ値１を獲得し得る。処理ユニット４２０は、記憶ユニット４４０に記憶されたテーブルを参照することによって、対応する特別なＴＴＩ／ｓＴＴＩのセットを獲得し得る。例示的なテーブルは、図７に示され、ＣＦＩ値１は、ＴＤＤ構成｛Ｄ  Ｓ  Ｕ  Ｕ  Ｄ  Ｄ  Ｓ  Ｕ  Ｕ  Ｄ｝を有する無線フレームの部分である特別なＴＴＩ／ｓＴＴＩのセット｛１，６｝に対応する。したがって、各々の特別なＴＴＩ／ｓＴＴＩについてのダウンリンク制御チャネルの持続時間は、１である一方、各ダウンリンクＴＴＩ／ｓＴＴＩについてのダウンリンク制御チャネルの持続時間は、２であり、１つのＣＦＩ値を有するＣＦＩパターンを示す情報のみがＵＥ４００および４００’によって受信されており、他のＣＦＩ値は、処理ユニット４２０によって暗黙的に獲得されている。
【００５１】
この実施形態は、図８Ａのフロー図にも例証されており、ステップ８１０において、ＵＥ４００および４００’、例えば、受信ユニット４１０は、ＣＦＩ値を有するＣＦＩパターンを示す情報を、信号を通じて受信し得る。ステップ８２０において、処理ユニット４２０は、受信した情報からＣＦＩパターンを獲得し得、また、ステップ８３０において、獲得したＣＦＩパターンからＣＦＩ値を獲得し得る。次いで、処理ユニット４２０は、記憶ユニット４４０など、ＵＥ４００および４００’のメモリからＴＴＩ／ｓＴＴＩのセットを取得することによって、獲得したＣＦＩ値に対応するＴＴＩ／ｓＴＴＩのセットを得ることができる。ＵＥ４００および４００’は、ＣＦＩ値とＴＴＩ／ｓＴＴＩのセットとの対応をメモリに記憶し得、その結果として、処理ユニット４２０は、ＴＴＩ／ｓＴＴＩのセットに関する情報を必要に応じて取得することができる。ＴＴＩ／ｓＴＴIのセットは、例えば、ダウンリンク伝送、アップリンク伝送に割り当てられ得るか、または特別なＴＴＩ／ｓＴＴＩのセットであり得る。
【００５２】
処理ユニット４２０は、ステップ８５０ａにおいて、ＣＦＩパターンから獲得されるＣＦＩ値をさらにデクリメントし得、ステップ８６０ａにおいて、ＵＥ４００および４００’のメモリを参照し、ＣＦＩ値に対応するＴＴＩ／ｓＴＴＩのセットを取得することによって、デクリメントしたＣＦＩ値からＴＴＩ／ｓＴＴＩのセットを得ることができる。ＴＴＩ／ｓＴＴＩのセットは、ここでも、例えば、ダウンリンク伝送、アップリンク伝送に割り当てられ得るか、または特別なＴＴＩ／ｓＴＴＩのセットであり得る。ダウンリンク伝送のためのＴＴＩ／ｓＴＴＩのセット、すなわち、ＴＴＩ／ｓＴＴＩのダウンリンクセットは、ダウンリンク伝送のためのサブフレーム／スロット、すなわち、ダウンリンクサブフレーム／スロットに対応し得、アップリンク伝のためのＴＴＩ／ｓＴＴＩのセット、すなわち、ＴＴＩ／ｓＴＴＩのアップリンクセットは、アップリンク伝送のためのサブフレーム／スロット、すなわち、アップリンクサブフレーム／スロットに対応し得、特別なＴＴＩ／ｓＴＴＩのセットは、特別なサブフレーム／スロットに対応し得るということに留意されたい。
【００５３】
別の実施形態において、処理ユニット４２０は、ここでも、ＣＦＩパターンからＣＦＩ値を獲得し得、ＣＦＩパターンを示す情報は、例えば、ＵＥ４００および４００’によってあらかじめ受信されている。図７に例として例証されるように、処理ユニット４２０は、ＴＴＩ／ｓＴＴＩのセット｛０，４，５，９｝に対応するＣＦＩ値２を獲得し得る。ＴＴＩ／ｓＴＴＩのセットは、ここでも、ＴＤＤ構成｛Ｄ  Ｓ  Ｕ  Ｕ  Ｄ  Ｄ  Ｓ  Ｕ  Ｕ  Ｄ｝を有する無線フレームの一部である。
【００５４】
このとき、処理ユニット４２０は、ＣＦＩパターンからのＣＦＩ値をインクリメントすることによって第２のＣＦＩ値を暗黙的に獲得するために、ＣＦＩパターンのＣＦＩ値を参照し得る。例えば、処理ユニット４２０は、ＣＦＩパターンからのＣＦＩ値２を１だけインクリメントし得、ＴＤＤ構成｛Ｄ  Ｓ  Ｕ  Ｕ  Ｄ  Ｄ  Ｓ  Ｕ  Ｕ  Ｄ｝を有する同じ無線フレームの部分であるＴＴＩ／ｓＴＴＩの第２のセット｛０，５｝に対応する第２のＣＦＩ値３を獲得し得る。
【００５５】
図８Ｂは、この実施形態を例示的に例証し、図８Ｂのステップ８１０、８２０、８３０、および８４０は、図８Ａのステップ８１０、８２０、８３０、および８４０に等しい。したがって、簡潔性の理由から、図８Ｂのステップ８１０、８２０、８３０、および８４０の詳細な説明は、現時点では省略される。
【００５６】
図８Ｂでは、ステップ８３０および８４０において、獲得されたＣＦＩパターンからＣＦＩ値を獲得し、ＴＴＩ／ｓＴＴＩのセットを取得した後、処理ユニット４２０は、ステップ８５０ｂにおいて、ＣＦＩパターンから獲得されるＣＦＩ値をさらにインクリメントし得、またステップ８６０ｂにおいて、ＣＦＩ値とＴＴＩ／ｓＴＴＩのセットとの対応を記憶する、記憶ユニット４４０などの、ＵＥ４００および４００’のメモリを参照することによって、ならびに対応するＴＴＩ／ｓＴＴＩのセットを取得することによって、インクリメントしたＣＦＩ値からＴＴＩ／ｓＴＴＩのセットを得ることができる。ＴＴＩ／ｓＴＴＩのセットは、ここでも、例えば、ダウンリンク伝送、アップリンク伝送に割り当てられ得るか、または特別なＴＴＩ／ｓＴＴＩのセットであり得る。
【００５７】
要約すると、処理ユニット４２０は、ＣＦＩパターンから、ＴＴＩ／ｓＴＴＩの第１のセットに対応する第１のＣＦＩ値を獲得するように、および、ＣＦＩパターンからの第１のＣＦＩ値をデクリメントまたはインクリメントすることによって、第２のＣＦＩ値を獲得するように構成され得、第２のＣＦＩ値は、ＴＴＩ／ｓＴＴＩの第２のセットに対応する。たとえ１つのＣＦＩ値のみがＣＦＩパターンに含まれるとしても、様々なＴＴＩ／ｓＴＴＩについての個々のＣＦＩ値を確実にすることによって、ＣＦＩ値伝送が単純化されると同時に、システム効率は改善され、スケジュール制約は回避される。加えて、たとえ１つのＣＦＩ値のみがＣＦＩパターンに含まれるとしても、様々なＴＴＩ／ｓＴＴＩについての個々のＣＦＩ値を確実にすることによって、制御チャネル情報の正しい伝送および処理が確実にされると同時に、単純化したＣＦＩ値伝送を確実にする。ＣＦＩ値を１だけインクリメントまたはデクリメントすることは、一例にすぎず、ＴＴＩ／ｓＴＴＩの異なるセットについてのＣＦＩ値の関係性に対する制約は存在しないということに留意されたい。
【００５８】
上のいくつかの実施形態において述べられるようなネットワークノードは、図９Ａおよび図９Ｂに例証されるような構成要素を備え得る。図９Ａに例証される実施形態によると、ネットワークノード９００’は、ＣＦＩパターンを選択するように構成される処理ユニット９１０であって、ＣＦＩパターンが、ＣＦＩ値のセットを含み、少なくとも１つのＣＦＩ値が、少なくとも１つのダウンリンク制御チャネルの持続時間を示す、処理ユニット９１０と、ＣＦＩパターンに基づいてダウンリンク制御チャネルの各々において搬送されるダウンリンク制御情報を符号化するように構成される符号化ユニット９４０とを備え得る。ＣＦＩパターンは、上ではるかに詳細に説明されており、したがって詳細な説明は現時点では省略される。処理ユニット９１０は、例えば、ネットワークノード内に記憶される複数の事前に構成されたＣＦＩパターンからＣＦＩパターンを選択し得る。
【００５９】
図９Ｂに例証される別の実施形態によると、ネットワークノード９００は、ネットワークノード９００’の処理ユニット９１０および符号化ユニット９４０を備え得、また、伝送ユニット９２０、記憶ユニット９３０、および受信ユニット９５０をさらに備え得る。伝送ユニット９２０は、ＵＥ、例えば、ＵＥ４００または４００’へ向けてダウンリンク方向にデータを伝送し得る一方、受信ユニット９５０は、ＵＥ、例えば、ＵＥ４００または４００’からアップリンク方向にデータを受信し得る。メモリなどの記憶ユニット９３０は、ダウンリンク制御情報を符号化するために使用されるデータまたはＣＦＩパターンを記憶し得る。
【００６０】
別の実施形態によると、伝送ユニット９２０は、無線リソース制御（ＲＲＣ）信号を、ＵＥ、例えば、ＵＥ４００または４００’に伝送し得、ＣＦＩパターンを示す情報が、ＲＲＣ信号内で搬送され、ＣＦＩパターンは、準静的に構成される。
【００６１】
図１０Ａおよび図１０Ｂのフローチャートは、ネットワークノード９００’または９００によって実施される例示的な制御情報伝送方法を例証する。図１０Ａは、ネットワークノード９００’または９００によって実行される方法の１つの実施形態を例証し、本方法は、処理ユニット９１０によって、ＣＦＩパターンを選択するステップ１０１０ａであって、ＣＦＩパターンが、ＣＦＩ値のセットを含み、少なくとも１つのＣＦＩ値が、少なくとも１つのダウンリンク制御チャネルの持続時間を示す、ステップ１０１０ａと、符号化ユニット９４０によって、ＣＦＩパターンに基づいてダウンリンク制御チャネルの各々において搬送されるダウンリンク制御情報を符号化するステップ１０２０ａとを含む。
【００６２】
図１０Ｂに例証される別の実施形態によると、ネットワークノード９００’または９００によって実行される制御情報伝送方法は、処理ユニット９１０によって、複数のダウンリンク制御チャネルに対応するＣＦＩパターンを選択するステップ１０１０ｂと、伝送ユニット９２０によって、選択したＣＦＩパターンを示す情報を、ＵＥ、例えば、ＵＥ４００’または４００に伝送するステップ１０２０ｂを含み得る。その後、ステップ１０３０ｂにおいて、符号化ユニット９４０は、選択したＣＦＩパターンに基づいてダウンリンク制御情報を符号化し得、伝送ユニット９４０は、ステップ１０４０ｂにおいて、符号化したダウンリンク制御情報をダウンリンク制御チャネル上でＵＥに伝送し得る。
【００６３】
図１１は、ネットワークノード９００’または９００によって実施されるアクションに応答して、ＵＥ、例えば、ＵＥ４００’または４００によって実施される例示的なチャネル獲得方法を例証する。ステップ１１１０において、ＵＥは、ＣＦＩパターンを示す情報をネットワークノード９００’または９００から受信し得る。次いで、ＵＥの処理ユニット４２０は、ステップ１１２０において、受信した情報からＣＦＩパターンを獲得し得る。ステップ１１３０において、処理ユニット４２０は、上により詳細に説明されるように、ＣＦＩ情報を獲得するため、およびダウンリンク制御チャネルを搬送するＴＴＩ／ｓＴＴＩを取得するために、ＣＦＩパターンを処理し得る。ステップ１１４０において、ＵＥは、ダウンリンク制御チャネルの各々において搬送されるダウンリンク制御情報を受信し得、ステップ１１５０において、獲得したＣＦＩパターンに基づいてダウンリンク制御情報を復号し得る。ＵＥの構成要素の詳細な説明は、簡潔性の理由から現時点では省略され、上にあるようなＵＥ４００’または４００の実施形態の説明が参照されるということに留意されたい。
【００６４】
要約すると、上にあるような実施形態により、改善されたシステム効率の機序が提供され、スケジュール制約が回避されると同時に、制御チャネル内で伝達される制御チャネル情報の正しい伝送および処理、ならびに単純化したＣＦＩ値伝送が確実にされる。
【００６５】
詳細な実施形態が説明されているが、これらは、独立請求項によって規定される本発明のより良好な理解を提供するという役割を果たすにすぎず、制限と見なされるべきではない。加えて、実施形態は、互いと独立して説明されているが、上に説明された実施形態の組み合わせが使用されてもよい。
【図１】
2021513784.tif 000003
【図２Ａ】
2021513784.tif 000004
【図２Ｂ】
2021513784.tif 000005
【図３】
2021513784.tif 000006
【図４Ａ】
2021513784.tif 000007
【図４Ｂ】
2021513784.tif 000008
【図５】
2021513784.tif 000009
【図６】
2021513784.tif 000010
【図７】
2021513784.tif 000011
【図８Ａ】
2021513784.tif 000012
【図８Ｂ】
2021513784.tif 000013
【図９Ａ】
2021513784.tif 000014
【図９Ｂ】
2021513784.tif 000015
【図１０Ａ】
2021513784.tif 000016
【図１０Ｂ】
2021513784.tif 000017
【図１１】
2021513784.tif 000018
【手続補正書】
【提出日】令和2年8月7日(2020.8.7)
【手続補正１】
【補正対象書類名】明細書
【補正対象項目名】００４９
【補正方法】変更
【補正の内容】
【００４９】
ここで、同じＴＤＤ構成｛Ｄ  Ｓ  Ｕ  Ｕ  Ｄ  Ｄ  Ｓ  Ｕ  Ｕ  Ｄ｝を有する無線フレーム内の各々の特別なサブフレーム／スロットに対応する各々の特別なＴＴＩ／ｓＴＴＩについてダウンリンク制御チャネル伝送の持続時間を獲得するために、ＵＥ４００およびＵＥ４００’が、別のＴＴＩ／ｓＴＴＩのセットに対応する別のＣＦＩパターンを示す情報を受信し得るか、処理ユニット４２０が、ダウンリンクＴＴＩ／ｓＴＴＩのセット｛０，４，５，９｝を示すＣＦＩ値２を有する既に獲得されたＣＦＩパターンに基づいてＣＦＩパターンを獲得することが可能であり得るか、のいずれかである。１つの実施形態において、処理ユニット４２０は、特別なＴＴＩ／ｓＴＴＩのセットを示すＣＦＩ値を獲得するために、ダウンリンクＴＴＩ／ｓＴＴＩのセットを示す受信したＣＦＩ値をデクリメントするように構成され得る。
【手続補正２】
【補正対象書類名】特許請求の範囲
【補正対象項目名】全文
【補正方法】変更
【補正の内容】
【特許請求の範囲】
【請求項１】
制御情報を獲得するように構成されるユーザ機器（ＵＥ）であって、
制御形式インジケータ（ＣＦＩ）パターンを獲得するように構成される処理ユニット（４２０）であって、前記ＣＦＩパターンが、ＣＦＩ値のセットを含み、少なくとも１つのＣＦＩが、少なくとも１つのダウンリンク制御チャネルの持続時間を示す、処理ユニットと、
前記ＣＦＩパターンに基づいて前記少なくとも１つのダウンリンク制御チャネル上で搬送されるダウンリンク制御情報を復号するように構成される復号ユニット（４３０）と
を備える、ＵＥ。
【請求項２】
前記ＣＦＩ値のセットが、フレーム内の、伝送時間間隔（ＴＴＩ）のセット、または短い伝送時間間隔（ｓＴＴＩ）のセットに対応する、請求項１に記載のＵＥ。
【請求項３】
前記ＴＴＩのセットが、ダウンリンクＴＴＩおよび特別なＴＴＩを含むか、または
前記ｓＴＴＩのセットが、ダウンリンクｓＴＴＩおよび特別なｓＴＴＩを含む、請求項２に記載のＵＥ。
【請求項４】
前記ＴＴＩのセットが、アップリンクＴＴＩをさらに含むか、または
前記ｓＴＴＩのセットが、アップリンクｓＴＴＩをさらに含む、請求項２に記載のＵＥ。
【請求項５】
各ＣＦＩ値が、ＴＴＩまたはｓＴＴＩに対応する、請求項２に記載のＵＥ。
【請求項６】
前記ダウンリンク制御チャネルが、物理ダウンリンク制御チャネル（ＰＤＣＣＨ）、または短い物理ダウンリンク制御チャネル（ｓＰＤＣＣＨ）である、請求項１〜５のいずれか一項に記載のＵＥ。
【請求項７】
前記ＣＦＩパターンが、準静的に構成される、請求項１〜６のいずれか一項に記載のＵＥ。
【請求項８】
前記ＣＦＩパターンが、準静的に構成され、
前記ＵＥが、ネットワークノードから無線リソース制御（ＲＲＣ）信号を受信するように構成される受信ユニット（４１０）であって、前記ＣＦＩパターンを示す情報が前記ＲＲＣ信号内で搬送される、受信ユニットを備え、
前記処理ユニットが、前記ＲＲＣ信号から前記ＣＦＩパターンを獲得するように構成される、請求項１〜７のいずれか一項に記載のＵＥ。
【請求項９】
ユーザ機器（ＵＥ）による制御情報獲得方法であって、
制御形式インジケータ（ＣＦＩ）パターンを獲得するステップ（５１０）であって、前記ＣＦＩパターンが、ＣＦＩ値のセットを含み、少なくとも１つのＣＦＩ値が、少なくとも１つのダウンリンク制御チャネルの持続時間を示す、ステップと、
前記ＣＦＩパターンに基づいて前記ダウンリンク制御チャネルの各々において搬送されるダウンリンク制御情報を復号するステップ（５２０）と
を含む、制御情報獲得方法。
【請求項１０】
前記ＣＦＩ値のセットが、フレーム内の、伝送時間間隔（ＴＴＩ）のセット、または短い伝送時間間隔（ｓＴＴＩ）のセットに対応する、請求項９に記載の制御情報獲得方法。
【請求項１１】
前記ＴＴＩのセットが、ダウンリンクＴＴＩおよび特別なＴＴＩを含むか、または
前記ｓＴＴＩのセットが、ダウンリンクｓＴＴＩおよび特別なｓＴＴＩを含む、請求項１０に記載の制御情報獲得方法。
【請求項１２】
前記ＴＴＩのセットが、アップリンクＴＴＩさらに含むか、または
前記ｓＴＴＩのセットが、アップリンクｓＴＴＩをさらに含む、請求項１０に記載の制御情報獲得方法。
【請求項１３】
各ＣＦＩ値が、ＴＴＩまたはｓＴＴＩに対応する、請求項１０に記載の制御情報獲得方法。
【請求項１４】
前記ダウンリンク制御チャネルが、物理ダウンリンク制御チャネル（ＰＤＣＣＨ）、または短い物理ダウンリンク制御チャネル（ｓＰＤＣＣＨ）である、請求項９〜１３のいずれか一項に記載の制御情報獲得方法。
【請求項１５】
前記ＣＦＩパターンが、準静的に構成される、請求項９〜１４のいずれか一項に記載の制御情報獲得方法。
【国際調査報告】
2021513784.tif 000019
2021513784.tif 000020